(57)【特許請求の範囲】
【請求項１】
枠材の長手方向に沿って間隔をあけて垂下された受け板部と押さえ板部とを有する溝部にパネルの端部が挿入され、前記受け板部の内側面には長手方向に沿って凸条が形成され、前記押さえ板部の内側面には縁部材が長手方向に沿って取付けられ、前記パネル端部は、前記溝部に挿入され、前記凸条と縁部材とに挟持されると共に、前記挟持部より溝部の奥側に挿入されたパネル先端部は、押さえ板部から螺入された固定ビスによって係止され、溝部からの抜け出しが阻止されていることを特徴とする枠付きパネル。
【請求項２】
前記縁部材は、パネルに引き抜き方向の力が掛かった際に、ボルトの側面に当接され、該パネルの抜け止めが防止されるようになされたことを特徴とする請求項１に記載の枠付きパネル。
【請求項３】
請求項１又２に記載の枠付きパネルが、間隔をおいて立設された支柱の間に前記枠材を介して架設されていることを特徴とする塀。
【発明の詳細な説明】
【技術分野】
【０００１】
本発明は、例えば、目かくし塀、フェンス、門扉等に用いられる枠付きパネル、及びこの枠付きパネルを用いた塀に関するものである。
【背景技術】
【０００２】
一般に、工場や住宅地の敷地境界線や隣地境界線においては、目かくし塀やフェンス等が設置され、その通行箇所には門扉が設けられている。
【０００３】
例えば、特開平６−２９９７２号公報には、枠材本体と、当該枠材本体の端部からパネル側に対向して延びてパネルの端部を保持するための呑込み溝を構成する表裏一対の飾り板と、当該枠材本体に設けられて当該一対の飾り板間の呑込み溝内の延びると共に、前記パネルが取付けられる取付板とを備え、且つ前記一方の飾り板は、前記枠材本体及び／または前記取付板に着脱自在に取付けられてなることを特徴とするパネル枠用の枠材が提案されている。
【０００４】
【特許文献１】特開平６−２９９７７２号公報
【発明の開示】
【発明が解決しようとする課題】
【０００５】
ところで、この種のパネルの材料には、金属板、樹脂板、或いはこれらを適宜組み合わせたものや積層して積層板とした板状体が用いられるが、一般には、比較的大きな板状体を形成して、使用する大きさに切断して使用されることが多く、切断端部から側面方向にばり等のはみ出し箇所が生じる。そのため、前記のパネル枠用の枠材では、パネルが取付板に取付けられるため、パネルのばりにより取付板との間に隙間が生じ、パネルの取付け後にがたつきが生じるおそれがあり、その点が問題であった。
【０００６】
本発明は、前記の如き問題点を解消し、パネルの切断端部にばり等のはみ出し箇所が発生しても、パネル端部の保持機能を損なうことない枠材を有する枠付きパネル及びこのパネルを用いた塀を提供せんとするものである。
【課題を解決するための手段】
【０００７】
上記目的を達成するために、本発明は次のような構成としている。
すなわち本発明に係る枠付きパネルは、枠材の長手方向に沿って間隔をあけて垂下された受け板部と押さえ板部とを有する溝部にパネルの端部が挿入され、前記受け板部の内側面には長手方向に沿って凸条が形成され、前記押さえ板部の内側面には縁部材が長手方向に沿って取付けられ、前記パネル端部は、前記溝部に挿入され、前記凸条と縁部材とに挟持されると共に、前記挟持部より溝部の奥側に挿入されたパネル先端部は、押さえ板部から螺入された固定ビスによって係止され、溝部からの抜け出しが阻止されていることを特徴とするものである。
【０００８】
又本発明に係る枠付きパネルにおいて、前記縁部材は、パネルに引き抜き方向の力が掛かった際に、ボルトの側面に当接され、該パネルの抜け止めが防止されるようになされた構成としてもよい。
【０００９】
又、本発明に係る塀は、前記枠付きパネルが、間隔をおいて立設された支柱の間に前記枠材を介して架設されていることを特徴とするものである。
【発明の効果】
【００１０】
本発明によれば、前記受け板部の内側面には長手方向に沿って凸条が形成され、前記押さえ板部の内側面には縁部材が長手方向に沿って取付けられ、前記パネル端部は、前記溝部に挿入され、前記凸条と縁部材とに挟持されると共に、前記挟持部より溝部の奥側に挿入されたパネル先端部は、押さえ板部から螺入された固定ビスによって係止され、溝部からの抜け出しが阻止されているので、パネル端部にばり等のはみ出し箇所が発生していても、パネル端部を枠材の溝部内にしっかり保持することができる。
【００１１】
又、本発明に係る枠付きパネルにおいて、前記縁部材は、パネルに引き抜き方向の力が掛かった際に、ボルトの側面に当接され、該パネルの抜け止めが防止されるようになされれば、パネルをより安定的に支持することができるので好ましい。
【発明を実施するための最良の形態】
【００１２】
次に、本発明を実施するための最良の形態について図面を参照し、具体的に説明する。
【００１３】
すなわち、図１は本発明に係る塀における実施の一形態を示す正面図、図２は図１のＡ−Ａ断面における主要部の拡大縦断面図、図３は図１のＢ−Ｂ断面における主要部の拡大横断面図、図４は図３の部分分解図、図５は本発明に係る枠付きパネルにおける実施の一形態を示す拡大斜視図、図６は図５の部分分解斜視図、図７は図１のＣ−Ｃ断面における主要部の拡大縦断面図、図８は本発明に係る枠付きパネルにおける取付構造を示す斜視図、図９は図８の分解説明図、図１０は本発明に係る枠付きパネルにおける取付構造を示す部分分解説明図である。
【００１４】
図面において、１は地表に立設された支柱、２はパネル２はパネル２の端部に取付けられる枠材であり、枠付きパネル４は、パネル２と枠材３とから主に構成されると共に、塀Ｆは、支柱１と枠付きパネル４とから主に構成されたものである。
【００１５】
図１は、本発明に係る塀Ｆの実施の一形態を示す正面図である。塀Ｆは、間隔をあけて立設された支柱１の間に、枠付きパネル４が架設されている。支柱１は、その下部は地中に埋設され地表に立設されている。又、支柱１の頂部にはキャップ１２が取付けられ、見栄えを良くすると共に、雨水などが支柱１の内側に侵入するのを防止している。本実施形態では、支柱１は断面矩形状の鋼管である。
【００１６】
支柱１は、枠付きパネル４が架設されることを考慮すると金属製のものを用いるのが好ましく、一般にはアルミニウム合金、ステンレス、鋼材等のパイプ形状の長尺体を適宜長さに切断したものや、それらにめっき、塗装を施したもの等を好適に用いることができる。
【００１７】
枠付きパネル４は、矩形状のパネル２と、パネル２の端部に取付けられた枠材３とを備えている。パネル２は、本実施形態においては、合成樹脂からなるシートの表裏に金属箔を貼着させた積層板であり、金属箔の表面には塗装が施されている。尚、パネル２は、積層板の代わりに金属板を用いてもよく、或いは透明板や乳白色の樹脂板を用いて透光性を付与させてもよい。
【００１８】
図２は、図１のＡ−Ａ断面における主要部の拡大縦断面図である。枠材３は、パネル２の上端部に取付けられると共に、長手方向に沿って形成された略矩形状の中空部３１と、この中空部３１の下部に長手方向に向けて形成された溝部３２の中にパネル２の上端部が挿入され、固定ビス７により抜け止めがなされたものである。
【００１９】
図３，４は、図１の支柱１とパネル２との連結構造を示す拡大横断面図である。固定金具５は、支柱に固定される支柱取付板５１と枠付きパネル４の枠材３に固定される枠材取付板５２とからなる略Ｌ字状になされている。固定金具５は、支柱１の側面に支柱取付板５１が配置されボルトＢによって締着され、枠材３に枠材取付板５２が取付けられている。
【００２０】
図５，６は、枠材３の側端部の一形態を示す説明図であり、図５は分解説明図、図６は斜視図である。枠材３の中空部３１の内部にはビスホール３１ａが長手方向に沿って設けられると共に、枠材３の側端面を隠蔽する端部材５３が取付けられる。端部材５３は、枠材３の側端部を隠蔽する外板部５４と、中空部３１に挿入される内板部５５とを備えている。外板部５４の通孔からビスＢ２が挿入されビスホール３１ａに螺着されることによって枠材３の側端部に締結されている。内板部５５は、中空部３１内の背面側に沿って挿入されると共に、中空部３１の背面に形成された通孔３１ｂの位置に対応する箇所にねじ孔５７が設けられている。そして、枠材３に固定金具５を取付ける際は、図３，４に示すように、固定金具５の枠材取付板５２から中空部３１の通孔３１ｂにボルトＢ１を通し、端部材５３の内板部５５のねじ孔５７に螺着させる。この端部材５３により、枠材３の側端部を隠蔽すると共に、枠材３と固定金具５との締結を強固にすることができる。尚、図６に示すように、外板部５４の適宜位置に水抜き孔５８ａ，５８ｂ，５８ｃを設けてもよい。
【００２１】
枠付きパネル４のパネル２は、図３，４に示すように、枠材３の側端部より側方に突出され、このパネル２の突出部２１は支柱１の前面側に配置されると共に、突出部２１の前面側からカバー材Ｓが取付けられる。このカバー材Ｓは、支柱１の前面との間にパネル２の突出部２１を挟持すると共に、カバー材Ｓの前面側から、支柱１の両側に取付けられる枠付きパネル４においてパネル２の突出部２１の間を通って支柱１に向けてビスＢ３が挿入されて固定される。これにより、支柱１とパネル２との間に隙間が生じないため、塀Ｆの前面側で発生した騒音等が塀Ｆの背面側に直接的に伝播せず、塀Ｆの裏面側へ伝わる騒音を低減させることができる。
【００２２】
尚、支柱１と枠付きパネル４との連結構造は本実施形態に限られるものではないが、遮音性を考慮して、支柱１と枠付きパネル４との間に、騒音が前面側から背面側に直接的に伝播するような隙間が生じないようにすることが好ましい。
【００２３】
又、図１に示すように、パネル２の下端部にも枠材３が取付けられている。本実施形態に掛かる枠材３は、パネル２の上端部に取付けられた枠材３と比べて、中空部３１の上部に溝部３２が形成された上下対称状となされた点が異なるものであり、他は同様な構造である。
【００２４】
図７は、枠付きパネル４を上下方向に積み重ねた際の、枠材３の重合部の説明図である。前記重合部において、上下の枠材３は前面側に重合面Ｇが形成され、重合面Ｇから背面に向けて、それぞれの枠材３に内側に窪む段差部３１ｃ，３１ｄがそれぞれ形成され、この段差部３１ｃ，３１ｄの間に弾性材Ｒ１が挟持されている。これにより、枠材３が上方あるいは下方に反り等が生じて、重合部において上下の枠材３の間に隙間が生じても、この隙間を弾性材Ｒ１で隠蔽することができるので、塀Ｆの前面側で発生した騒音等が枠付きパネル４の重合部の隙間から音が直接的に背面側に伝播することを抑えることができる。尚、弾性材Ｒ１は、一般にポリオレフィン、ポリウレタン等のエラストマーやシリコーン樹脂等の合成樹脂等が用いられ、又、枠材３の隙間からの騒音の伝播を効果的に防ぐために弾性材Ｒ１の内部に独立気泡から形成されたスポンジ状の発泡材料を用いてもよい。加えて、枠付きパネル４と地面との間の隙間に同様な弾性材Ｒ２を圧入して隙間を塞ぐと、より防音性能を高めることができる。
【００２５】
図８〜１０は、パネル２と枠材３との取付構造の説明図であり、図８は拡大斜視図、図９は図８の部分分解斜視図、図１０は部分分解説明図である。枠材３の溝部３２は、中空部３１の下面から長手方向に沿って間隔をあけて垂下された縦板状の受け板部３３と縦板状の押さえ板部３４とを有している。溝部３２は、受け板部３３の内側面には長手方向に沿って凸条３５が形成され、一方押さえ板部３４の内側面には長手方向に沿って縁部材６が取付けられている。押さえ板部３４の内側面には、開口側が幅狭となされた蟻溝状の嵌合溝３４ａが長手方向に沿って形成され、縁部材６の押さえ板部３４側には、嵌合溝３４ａの形状に対応した断面台形状の嵌合突起６１が長手方向に沿って設けられている。そして、図９に示すように、縁部材６の嵌合突起６１を嵌合溝３４ａの側端部から挿入して嵌合させることによって、縁部材６を押さえ板部３４に取付ける。枠材３は、一般には、アルミニウム、鋼材等の金属や合成樹脂等からなる押出型材を長尺体を適宜長さに切断して用いられるものであり、縁部材６も同様な方法で形成されたものが用いられるが、枠材３と縁部材６とを一体に形成してもよい。
【００２６】
図９，１０は、枠材３に対するパネル２の取付方法の一形態を示すものである。パネル２の上端部を受け板部３３の凸条３５と縁部材６との間から溝部３２の内側に挿入する。受け板部３３の凸条３５と押さえ板部３４の縁部材６との離間寸法は、パネル２の厚さ寸法より短くなされる。又、押さえ板部３４の基端部３４ｂの幅寸法と比べて、受け板部３３の基端部３３ａの幅寸法は短くなされている。従って、凸条３５及び縁部材６は、挿入されるパネル２より押圧され、主に比較的幅狭の受け板部３３が凸条３５を介して溝部３２の開口部が広がるように外方に向けて弾性変形し、縁部材６は押さえ板部３４に押し付けられて、この反力によって、凸条３５と縁部材６との間にパネル２が挟持される。更に、中空部３１は押さえ板部３４側が下方に張り出されて段部３２ａが形成されている。これにより、押さえ板部３４の垂下長さに対して、受け板部３３の垂下長さは相対的に短くなるため、受け板部３３の方がより弾性変形しやすくなる。加えて、受け板部３３が前記の弾性変形をした際、受け板部３３の先端側が溝部３２に対して外側に反った状態となると意匠性が低下する恐れがあるため、受け板部３３は、先端側が溝部３２の内側に反った形態が好ましい。
【００２７】
凸条３５は、突端側に向けて幅狭となされた断面倒山型となされ、縁部材６は凸条３５より上下方向に幅広に形成されると共にパネル２が挟持する挟持面６２が平坦となされている。これにより、パネル２は挟持面６２に沿って支持されるので、パネル２をより安定的に挟持することが可能となり、又、パネル２から凸条３５に掛かる押圧力は縁部材側に掛かる押圧力より小さくなるので、凸条３５を介して受け板部３３に掛かる押圧力を低減させ、過剰な押圧力による受け板部３３の塑性変形を防ぐことができる。又、凸条３５は、前記挟持面６２の上下方向の中央部と対向する位置に形成されている。これにより、パネル２が受け板部３３側あるいは押さえ板部３４側に撓んだ場合、パネル２は挟持面６２の上端或いは下端を支点として変位するが、前記上下端の中央部に位置する凸条３５には、いずれの場合の変位であっても、変位によって生じるモーメントによる押圧力が抑えられるため、過剰な押圧力による受け板部３３の塑性変形を防ぐことができる。そして、凸条３５と縁部材６との離間寸法に比べて、溝部３２の奥の離間寸法は長くなされている。これにより、溝部３２に挿入するパネル２の先端部にばり等が生じていても、溝部３２の奥まで挿入されれば、ばり等は受け板部３３や押さえ板部３４には接触しにくくなり、パネル２を凸条３５と縁部材６とで挟持する際においても、ばりの影響で挟持状態に不具合が生じる恐れはなくなる。
【００２８】
図１０は、パネル２のパネル先端部２２の取付構造に関する部分分解説明図である。（ａ）に示すように、溝部３２に挿入されたパネル先端部２２は、（ｂ），（ｃ）に示すように、押さえ板部３４に螺入させた固定ビス７が挿通されることにより係止され、溝部３２の開口側からの抜け出しが防止されると共に、溝部３２の長手方向の移動も阻止される。これにより、パネル２を安定的に支持することができる。又、固定ビス７は、本実施形態では、ねじ部７１の先端側に長手方向に沿って切り刃（図示せず）が形成されたドリルねじ状となされており、押さえ板部３４の外側面から電動ドライバー等で螺入される。このため、固定ビス７のねじ部７１が押さえ板部３４に螺入して進む速度と比べて、ねじ先端部７２の切り刃がパネル２の表面の金属箔を貫通する速度が遅い場合は、パネル先端部２２からねじ先端部７２に対して過剰な応力が掛かってねじ先端部７２が潰れたり、ねじ先端部７２からの反力により、パネル先端部２２が受け板部３３側に撓んで固定ビス７による係止が不十分になったりする恐れがある。従って、固定ビス７のねじ山のピッチは狭い方が好ましく、本実施形態では３種ねじ（ＪＩＳ  Ｂ１００７：２００３）となされている。尚、固定ビス７のねじ先端が挿通され、且つねじ部７１が螺入される程度の大きさの通孔３６を予め押さえ板部３４に設けていてもよい。
【００２９】
ねじ先端部７２は、固定ビス７をパネル先端部２２に挿通させた際に、パネル先端部２２と受け板部３３との間に位置させることが好ましい。ねじ先端部７２がパネル先端部２２の内部に留まった状態であるとパネル先端部の係止が不十分になる恐れがあり、又ねじ先端部７２が受け板部３３に挿入されると、受け板部３３の外側面側に膨らみ等が生じて、外観上、意匠性が低下する恐れがある。
【００３０】
次に、縁部材６と固定ビス７との関係について説明する。パネル２に風・振動や温度変化による収縮等により、パネル２に対して溝部３２から引き抜く方向の力が掛かった場合、固定ビス７の側面に縁部材６の上端部が当接されるようになされている。これにより、パネル２の引き抜きを抑えることができる。縁部材６と固定ビス７との間隔が狭い程上記効果は高まるが、一方固定ビス７を螺入する際に、ねじ部７１とが接触して螺入作業が阻害される恐れがあるため、縁部材６の上部において、基端側に凹み部６３を設けて、ねじ部７１との接触をなるべく避けるようにすることが好ましい。更に、本実施形態の如く、固定ビス７としてドリルねじ状のねじを用いる場合は、縁部材６とねじ部７１においてねじ山が形成されていない部分と当接するように形成されていることがより好ましい。
【００３１】
次に、パネル２が前後に撓みが生じた場合のパネル先端部２２と溝部３２との関係について説明する。先ず、パネル２が後方に撓んだ場合、パネル先端部２２は溝部３２の中で受け板部３３の基端に接触するまで変位し、その後はこの接触部が固定端となるため、パネル２の端部から縁部材６に対して比較的大きな応力が生じるが、縁部材６が取付けられた押さえ板部３４は比較的弾性変形しにくいため、前記応力に抗してパネル２端部を挟持した状態を保持することができる。一方、パネル２が前方に撓んだ場合、パネル先端部２２は溝部３２の中で押さえ板部３４の基端又は中空部３１の段部３７に接触するまで変位し、その後はこの接触部が固定端となるため、パネル２の端部から凸条３５に対して比較的大きな応力が生じる。凸条３５が形成された受け板部３３は比較的弾性変形しやすいため、パネル２の撓みが解消された後、受け板部３３が元に戻らず、パネル２の挟持が十分できずに、パネル２のばたつきやそれに伴う騒音等が発生する恐れがある。そのため、押さえ板部３４側へのパネル先端部２２の変位を十分確保できるように、パネル先端部２２と押さえ板部３４又は中空部３１の段部３２ａとの間に隙間は比較的大きく成形することが好ましい。
【００３２】
このような構造により、塀Ｆ等の端部やコーナー部等において支柱１の間の間隔が他の部分より狭くなされた場合に、その間隔に合わせた端尺パネルが必要となるが、この場合は、枠付きパネル４から枠材３を外し、それぞれ長さに合わせて切断したあと、再度前記のように枠付きパネル４を組み立てればよい。又、本実施形態においては、枠材３の長さ寸法に対して、パネル２の同方向長さ寸法は長いので、パネル２の側端部を適宜切断して長さを調節することも可能である。
【産業上の利用可能性】
【００３３】
本発明によれば、パネルの切断端部にばり等のはみ出し箇所が発生しても、パネル端部の保持機能を損なうことない枠材を有する枠付きパネルが形成されるので、塀や目かくし塀、フェンス等や、これら塀等と連設される門扉等に用いると意匠性を損なうことなく好適に利用することができる。
【図面の簡単な説明】
【００３４】
【図１】本発明に係る塀における実施の一形態を示す正面図である。
【図２】図１のＡ−Ａ断面における主要部の拡大縦断面図である。
【図３】図１のＢ−Ｂ断面における主要部の拡大横断面図である。
【図４】図３の部分分解図である。
【図５】本発明に係る枠付きパネルにおける実施の一形態を示す拡大斜視図である。
【図６】図５の部分分解斜視図である。
【図７】図１のＣ−Ｃ断面における主要部の拡大縦断面図である。
【図８】本発明に係る枠付きパネルにおける取付構造を示す斜視図である。
【図９】図８の分解説明図である。
【図１０】本発明に係る枠付きパネルにおける取付構造を示す部分分解説明図である。
【符号の説明】
【００３５】
１    支柱
２    パネル
３    枠材
３１  中空部
３２  溝部
３３  受け板部
３４  押さえ板部
３５  凸部
３７  段部
４    枠付きパネル
６    縁部材
７    固定ビス
【図１】
0005284680.tif 000002
【図２】
0005284680.tif 000003
【図３】
0005284680.tif 000004
【図４】
0005284680.tif 000005
【図５】
0005284680.tif 000006
【図６】
0005284680.tif 000007
【図７】
0005284680.tif 000008
【図８】
0005284680.tif 000009
【図９】
0005284680.tif 000010
【図１０】
0005284680.tif 000011